(57)【要約】      （修正有）【課題】ＤＶＤプレイヤーにおける多重字幕表示を実現する。【解決手段】第１字幕セットイメージデコードメッセージは媒体のデータを読み取るロードプラットフォーム２と、対比プラットフォーム４に送られる。該メッセージは該対比プラットフォームで累加レジスタ５に存在するか判断され、無ければ解析プラットフォーム６とデコーダプラットフォーム７で解析、デコードが処理が行われイメージ構築プラットフォーム８と出力プラットフォーム９を通し、混合デジタルビデオ信号及びデジタルオーディオ信号が出力される。視聴端インタフェース管理プラットフォーム３は続けて第２字幕セットイメージデコードメッセージを該対比プラットフォーム送り、第２字幕セットイメージ制御信号と累加レジスタに保存された第１字幕セットイメージ制御信号とが対比され、該累加レジスタに未存在の字幕セットイメージ制御信号がデコードされる。【選択図】  図２
2005236982.tif 000002
【特許請求の範囲】
【請求項１】
デジタルビデオディスクプレイヤーにおける多重字幕表示システムにおいて、
ＤＶＤ保存媒体のデジタルデータ、データフロー識別コード、及び複数の字幕セットイメージ制御信号を含む第１字幕セットイメージ制御信号を読み取るロードプラットフォームと、
第１字幕セットイメージデコード情報を伝送する視聴端インタフェース管理プラットフォームと、
デコードされたビデオデータを保存しデコードされた字幕イメージ信号と対応する字幕セットイメージ制御信号を累加する累加レジスタと、
第１字幕セットイメージデコード情報を受け取り第１字幕セットイメージ制御信号が累加レジスタに存在するかを判断し、累加レジスタに未存在の第１字幕セットイメージ制御信号を累加レジスタ内に保存する対比プラットフォームと、
データフロー識別コードと第１字幕セットイメージ制御信号によりデジタルデータを解析してビデオデータフロー、オーディオデータフロー、第１字幕セットイメージデータフローとなす解析プラットフォームと、
該ビデオデータフロー、オーディオデータフロー、及び第１字幕セットイメージデータフローに対してデコード動作を行ない、デジタルビデオ信号、デジタルオーディオ信号及び第１字幕イメージ信号を発生し、並びにデジタルビデオ信号と第１字幕イメージ信号を該累加レジスタ内に暫時保存するデコーダプラットフォームと、
累加レジスタのデジタルビデオ信号と字幕イメージ信号を混合し、混合デジタルビデオ信号を出力するイメージ構築プラットフォームと、
混合デジタルビデオ信号及びデジタルオーディオ信号を出力する出力プラットフォームと、
を具え、そのうち、視聴端インタフェース管理プラットフォームは少なくとも一つの第２字幕セットイメージデコード情報を受け取り対比プラットフォームに送り、対比プラットフォームはロードプラットフォームの提供する第２字幕セットイメージ制御信号を読み取って、累加レジスタの第１字幕セットイメージ制御信号と対比し、該解析プラットフォームと該デコーダプラットフォームが累加レジスタに未存在の字幕セットイメージ制御信号をデコードするのに供することを特徴とする、デジタルビデオディスクプレイヤーにおける多重字幕表示システム。
【請求項２】
請求項１記載のデジタルビデオディスクプレイヤーにおける多重字幕表示システムにおいて、対比動作がＸＯＲロジック演算方法とされて、第２字幕セットイメージ制御信号が累加レジスタ内に存在するかを判断することを特徴とする、デジタルビデオディスクプレイヤーにおける多重字幕表示システム。
【請求項３】
請求項１記載のデジタルビデオディスクプレイヤーにおける多重字幕表示システムにおいて、対比動作が字幕セットイメージ制御信号の重複を判断する関係演算方法とされることを特徴とする、デジタルビデオディスクプレイヤーにおける多重字幕表示システム。
【請求項４】
請求項１記載のデジタルビデオディスクプレイヤーにおける多重字幕表示システムにおいて、デコーダプラットフォームは、
ビデオデータフローに対してビデオデコード動作を行なうビデオデコードユニットと、  第１字幕セットイメージデータフローに対してデコード動作を行なう字幕デコードユニットと、
オーディオデータフローに対してデコード動作を行なうオーディオデコードユニットと、
を具えたことを特徴とする、デジタルビデオディスクプレイヤーにおける多重字幕表示システム。
【請求項５】
請求項１記載のデジタルビデオディスクプレイヤーにおける多重字幕表示システムにおいて、イメージ構築プラットフォームは、
第１字幕イメージ信号及び第２字幕イメージ信号の字幕イメージフレーム上での位置を調整する字幕イメージ調整ユニットと、
第１字幕イメージ信号及び第１字幕イメージ信号の表示モードを調整する字幕イメージ構築ユニットと、
を具えたことを特徴とする、デジタルビデオディスクプレイヤーにおける多重字幕表示システム。
【請求項６】
請求項１記載のデジタルビデオディスクプレイヤーにおける多重字幕表示システムにおいて、出力プラットフォームは、
デジタルオーディオ信号を出力するオーディオ出力プラットフォームと、
混合デジタルビデオ信号を出力するビデオ出力プラットフォームと、
を具えたことを特徴とする、デジタルビデオディスクプレイヤーにおける多重字幕表示システム。
【請求項７】
デジタルビデオディスクプレイヤーにおける多重字幕表示方法において、この方法は、
ロードプラットフォームを利用してＤＶＤ保存媒体のデジタルデータ、データフロー識別コード及び複数の字幕イメージ制御信号を包含する第１字幕セットイメージ制御信号を読み取り、
視聴端インタフェース管理プラットフォームを使用し第１字幕セットイメージデコード情報を対比プラットフォームに送り、対比プラットフォームが第１字幕セットイメージ制御信号を累加レジスタ内の字幕セットイメージ制御信号と対比し、
該データフロー識別コードと第１字幕セットイメージ制御信号により、デジタルデータを解析してビデオデータフロー、オーディオデータフロー、及び第１字幕セットイメージデータフローとなし、
該ビデオデータフロー、オーディオデータフロー、及び第１字幕セットイメージデータフローに対してデコーダプラットフォームにおいてデコードを行ない、デジタルビデオ信号、デジタルオーディオ信号、及び第１字幕イメージ信号を発生し、
該デジタルビデオ信号、デジタルオーディオ信号、及び第１字幕イメージ信号を累加レジスタ内に保存し、
そのうち、視聴端インタフェース管理プラットフォームは少なくとも一つの第２字幕セットイメージデコード情報を受け取り対比プラットフォームに送り、対比プラットフォームを利用して対比動作を行ない、第２字幕セットイメージ制御信号が累加レジスタ内に存在するかを判断し、重複するデコード動作を減らし、そのうち、対比条件は，
第２字幕セットイメージ制御信号が累加レジスタの第１字幕セットイメージ制御信号と同じと判断する時はデコードを行なわず、
第２字幕セットイメージ制御信号の一部が累加レジスタの第１字幕セットイメージ制御信号と同じと判断する時は一部の累加レジスタに未存在の第２字幕セットイメージ制御信号に対してデコードを行ない、
第２字幕セットイメージ制御信号がいずれも累加レジスタに未存在と判断する時、第２字幕セットイメージ制御信号に対してデコードを行ない、
イメージ構築プラットフォームを利用し、デジタルビデオ信号と累加レジスタ内の字幕イメージ信号を混合し、ビデオ信号と字幕イメージ信号の位置を調整し、
混合デジタルビデオ信号及びデジタルオーディオ信号を出力することを特徴とする、デジタルビデオディスクプレイヤーにおける多重字幕表示方法。
【請求項８】
請求項７記載のデジタルビデオディスクプレイヤーにおける多重字幕表示方法において、対比動作がＸＯＲロジック演算方法とされて、第２字幕セットイメージ制御信号が累加レジスタ内に存在するかを判断することを特徴とする、デジタルビデオディスクプレイヤーにおける多重字幕表示方法。
【請求項９】
請求項７記載のデジタルビデオディスクプレイヤーにおける多重字幕表示方法において、対比動作が字幕セットイメージ制御信号の重複を判断する関係演算方法とされることを特徴とする、デジタルビデオディスクプレイヤーにおける多重字幕表示方法。
【請求項１０】
請求項７記載のデジタルビデオディスクプレイヤーにおける多重字幕表示方法において、デコーダプラットフォームが異なるデータフローに対して、それぞれビデオデコードユニット、字幕デコードユニット及びオーディオデコードユニットを使用してデコードを行なうことを特徴とする、デジタルビデオディスクプレイヤーにおける多重字幕表示方法。
【請求項１１】
請求項７記載のデジタルビデオディスクプレイヤーにおける多重字幕表示方法において、第１字幕イメージ信号及び第２字幕イメージ信号の字幕イメージフレーム上での表示位置を調整し、第２字幕イメージ信号及び第２イメージ信号の表示モードを調整することを特徴とする、デジタルビデオディスクプレイヤーにおける多重字幕表示方法。
【発明の詳細な説明】
【技術分野】
【０００１】
本発明は、デジタルビデオディスク（ＤＶＤ）プレイヤーにおける多重字幕表示システム及び方法に係り、特に累加レジスタを使用して第１字幕セットイメージ制御信号を保存して、対比プラットフォームによる第２字幕セットイメージ制御信号と累加レジスタに保存した第１字幕セットイメージ制御信号との比較に供し、デコーダプラットフォームに未存在の字幕セットイメージ制御信号をデコードし、イメージと字幕の重複するデコードのプロセス、システムソース及び時間の消耗を減少するシステム及び方法に関する。
【背景技術】
【０００２】
早期のビデオテープ、ＬＤ（レーザーディスク）、Ｖ８、Ｈｉ８等のアナログ保存媒体はある期間に反復して読み取られると、磁気テープの摩損やイメージが不明瞭となる情況を発生し、及び編集が容易でなくなる。このような欠点を改善するため、ＶＣＤ（Ｖｉｄｅｏ  ｃｏｍｐａｃｔ  ｄｉｓｋ）及びＤＶＤ（ｄｉｇｉｔａｌ  ｖｉｄｅｏ  ｄｉｓｋ）技術に基づく新世代の装置がデジタルビデオオーディオ製品の発展により発生した。
【０００３】
アナログのオーディオビデオデータをデジタル形式に変換するためには、解析度とサンプリングレートの問題を解決しなければならない。デジタルオーディオビデオファイルのサイズを縮小するために、ＭＰＥＧ技術が広く採用されている。それは破壊性のひずみ圧縮であり、その圧縮率は非常に高く、且つイメージのひずみは少ない。デジタルオーディオビデオ製品に関しては、ＶＣＤとＤＶＤがよく知られて人気がある。しかし、ＶＣＤはイメージ品質が低く、良好なイメージのＤＶＤ技術が次第に重視されるようになっている。
【０００４】
特許文献１記載のＤＶＤはビデオ、オーディオとその他の圧縮データの内容の保存形式であり、そのうち、圧縮デコードユニットはビデオ再生、オーディオ再生及び字幕の表示を行ない、ＤＶＤビデオデータはＭＰＥＧ標準に基づき制定される。
【０００５】
さらに特許文献２には、大きな保存容量を有するＤＶＤが記載され、それは、複数の言語の字幕より一つの言語の字幕を選択することができる。このＤＶＤシステムは表示字幕を別の言語の字幕に切り換えることができる。
【０００６】
しかし、ＤＶＤ技術の欠点は、同一時間点に異なる言語の字幕を表示できないことである。図１はＤＶＤの周知の技術の表示図であり、図示されるように、該ＤＶＤプレイヤーは、光ディスク１’のデジタルデータを読み取り、並びにそれを管理ユニット２’にロードする。解析ユニット３’はデジタルデータを解析してビデオイメージデータフロー、字幕セットイメージデータフロー及びオーディオデータフローとなす。これらのデータフローはビデオ信号５’、字幕イメージ信号６’、及びオーディオ信号７’にデコーダユニット４’により変換される。出力ユニット８’はビデオ／オーディオ信号を出力装置に伝送し再生させる。こうして周知の技術は字幕セットイメージを表示する。周知の技術は一種類の言語の字幕しか再生できず、このような欠点のため視聴端では多重言語の再生技術を享受できない。
【０００７】
また、特許文献３には、同時に二種類の字幕を表示できるＤＶＤシステム及びその表示方法が記載されている。そのうち、この技術は視聴端がデコード前に二種類の字幕表示を選択し、その後にデコードを行なう。この方式は二種類の字幕表示の機能を達成するが、視聴端が二種類の字幕とイメージを共にデコードする時間を待たねばならない。また一方で、視聴端が新たに二種類の字幕を選択して表示する時、この方法は新たにイメージと新たに選択した二種類の字幕に対してデコードしなければならず、イメージと字幕が重複してデコードされ、このためシステムリソースと時間の浪費を形成する。
【０００８】
ゆえに、デジタルビデオディスクプレイヤーにおける多重字幕表示システム及び方法が求められている。
【０００９】
【特許文献１】米国特許第５９７８９１６号明細書
【特許文献２】米国特許第５９０７６５８号明細書
【特許文献３】台湾特許出願第８９１１０２３４号明細書
【発明の開示】
【発明が解決しようとする課題】
【００１０】
本発明の主要な目的は、デジタルビデオディスクプレイヤーにおける多重字幕表示システム及び方法を提供することにあり、累加レジスタを利用し、既にデコードされた少なくとも一つの第１字幕セットイメージデータを暫時保存し、視聴端が新たに少なくとも一つの第２字幕セットイメージデータを選択する時、視聴端インタフェース管理プラットフォームが第２字幕セットイメージデコード情報を対比プラットフォームに送り、該対比プラットフォームが第２字幕セットイメージデータを読み取り累加レジスタ内のデータと対比し、該累加レジスタ内に保存されていない字幕セットイメージデータをデコードし、並びにデコードした字幕セットイメージデータを該累加レジスタ内に暫時保存し、こうしてデジタルビデオディスクプレイヤーにおける多重字幕表示システム及び方法を達成する。
【００１１】
本発明の次の目的は、イメージ及び字幕の重複デコードのプロセス、システムリソース、及び時間の浪費を減らすことにあり、視聴端インタフェース管理プラットフォームが第２字幕セットイメージデータデコード情報を対比プラットフォームに送り、対比プラットフォームが少なくとも一つの第２字幕セットイメージ制御信号が累加レジスタ内の字幕セットイメージ制御信号と同じであると判断すれば、デコードを行なわず、累加レジスタに保存された字幕セットイメージ制御信号が第２字幕セットイメージの一部イメージ制御信号と同じと判断すれば、この一部の累加レジスタに存在しない第２字幕セットイメージ制御信号をデコードし、こうして重複するデコード動作を節約し、及び、第２字幕セットイメージ制御信号がいずれも累加レジスタに存在しないと判断すれば、該累加レジスタの字幕セットイメージ制御信号をクリアした後、第２字幕セットイメージ制御信号に対してデコードを行ない、こうしてイメージ及び字幕の重複デコードを減らす機能を達成する。
【００１２】
本発明の別の目的は、視聴端のデコードを待つ時間の浪費を節約することにあり、対比プラットフォームを利用し視聴端が選択した字幕セットイメージに対して判断を行ない、重複するビデオ及び字幕セットイメージのデコード時間を減らし、視聴端がデコードを待つ時間の浪費を節約する。
【００１３】
本発明の別の目的は、視聴端の多種類の字幕選択権利の行使を満足させることにあり、字幕の表示、除去及び言語の選択のほか、二重字幕がイメージの遅延及び音声の再生に影響を与えないようにする。
【００１４】
以上の目的及び長所を達成するため、本発明はデジタルビデオディスクプレイヤーにおける多重字幕表示システム及び方法を提供し、それは、ＤＶＤ保存媒体のデジタルデータ、データフロー識別コード、及び複数の字幕セットイメージ制御信号を含む第１字幕セットイメージ制御信号を読み取るロードプラットフォームと、第１字幕セットイメージデコード情報を受け取り伝送する視聴端インタフェース管理プラットフォームと、デコードされたビデオデータを保存しデコードされた字幕イメージ信号と対応する字幕セットイメージ制御信号を累加する累加レジスタと、第１字幕セットイメージ制御信号が累加レジスタに存在するかを判断し、累加レジスタに未存在の字幕セットイメージ制御信号を累加レジスタ内に暫時保存する対比プラットフォームと、データフロー識別コードと第１字幕セットイメージ制御信号によりデジタルデータを解析してビデオデータフロー、オーディオデータフロー、第１字幕セットイメージデータフローとなす解析プラットフォームと、該ビデオデータフロー、オーディオデータフロー、及び第１字幕セットイメージデータフローに対してデコード動作を行ない、デジタルビデオ信号、デジタルオーディオ信号及び第１字幕イメージ信号を発生し、並びにデジタルビデオ信号と第１字幕イメージ信号を該累加レジスタ内に暫時保存するデコーダプラットフォームと、累加レジスタのデジタルビデオ信号と字幕イメージ信号を混合し、このビデオ信号と字幕信号のイメージにおいて適当な位置に調整するイメージ構築ユニットと、デジタルビデオ信号とデジタルオーディオ信号を出力する出力ユニットと、を具えている。そのうち、視聴端インタフェース管理プラットフォームは少なくとも一つの第２字幕セットイメージデコード情報を受け取り対比プラットフォームに送り、対比プラットフォームは第２字幕セットイメージ制御信号を読み取った後に、累加レジスタと対比動作を行ない、ビデオ及び字幕の重複デコードのプロセス、システムリソース及び時間の浪費を節約し、視聴端に多重字幕を選択し表示する権利を満足させる。
【課題を解決するための手段】
【００１５】
請求項１の発明は、デジタルビデオディスクプレイヤーにおける多重字幕表示システムにおいて、
ＤＶＤ保存媒体のデジタルデータ、データフロー識別コード、及び複数の字幕セットイメージ制御信号を含む第１字幕セットイメージ制御信号を読み取るロードプラットフォームと、
第１字幕セットイメージデコード情報を伝送する視聴端インタフェース管理プラットフォームと、
デコードされたビデオデータを保存しデコードされた字幕イメージ信号と対応する字幕セットイメージ制御信号を累加する累加レジスタと、
第１字幕セットイメージデコード情報を受け取り第１字幕セットイメージ制御信号が累加レジスタに存在するかを判断し、累加レジスタに未存在の第１字幕セットイメージ制御信号を累加レジスタ内に保存する対比プラットフォームと、
データフロー識別コードと第１字幕セットイメージ制御信号によりデジタルデータを解析してビデオデータフロー、オーディオデータフロー、第１字幕セットイメージデータフローとなす解析プラットフォームと、
該ビデオデータフロー、オーディオデータフロー、及び第１字幕セットイメージデータフローに対してデコード動作を行ない、デジタルビデオ信号、デジタルオーディオ信号及び第１字幕イメージ信号を発生し、並びにデジタルビデオ信号と第１字幕イメージ信号を該累加レジスタ内に暫時保存するデコーダプラットフォームと、
累加レジスタのデジタルビデオ信号と字幕イメージ信号を混合し、混合デジタルビデオ信号を出力するイメージ構築プラットフォームと、
混合デジタルビデオ信号及びデジタルオーディオ信号を出力する出力プラットフォームと、
を具え、そのうち、視聴端インタフェース管理プラットフォームは少なくとも一つの第２字幕セットイメージデコード情報を受け取り対比プラットフォームに送り、対比プラットフォームはロードプラットフォームの提供する第２字幕セットイメージ制御信号を読み取って、累加レジスタの第１字幕セットイメージ制御信号と対比し、該解析プラットフォームと該デコーダプラットフォームが累加レジスタに未存在の字幕セットイメージ制御信号をデコードするのに供することを特徴とする、デジタルビデオディスクプレイヤーにおける多重字幕表示システムとしている。
請求項２の発明は、請求項１記載のデジタルビデオディスクプレイヤーにおける多重字幕表示システムにおいて、対比動作がＸＯＲロジック演算方法とされて、第２字幕セットイメージ制御信号が累加レジスタ内に存在するかを判断することを特徴とする、デジタルビデオディスクプレイヤーにおける多重字幕表示システムとしている。
請求項３の発明は、請求項１記載のデジタルビデオディスクプレイヤーにおける多重字幕表示システムにおいて、対比動作が字幕セットイメージ制御信号の重複を判断する関係演算方法とされることを特徴とする、デジタルビデオディスクプレイヤーにおける多重字幕表示システムとしている。
請求項４の発明は、請求項１記載のデジタルビデオディスクプレイヤーにおける多重字幕表示システムにおいて、デコーダプラットフォームは、
ビデオデータフローに対してビデオデコード動作を行なうビデオデコードユニットと、  第１字幕セットイメージデータフローに対してデコード動作を行なう字幕デコードユニットと、
オーディオデータフローに対してデコード動作を行なうオーディオデコードユニットと、
を具えたことを特徴とする、デジタルビデオディスクプレイヤーにおける多重字幕表示システムとしている。
請求項５の発明は、請求項１記載のデジタルビデオディスクプレイヤーにおける多重字幕表示システムにおいて、イメージ構築プラットフォームは、
第１字幕イメージ信号及び第２字幕イメージ信号の字幕イメージフレーム上での位置を調整する字幕イメージ調整ユニットと、
第１字幕イメージ信号及び第１字幕イメージ信号の表示モードを調整する字幕イメージ構築ユニットと、
を具えたことを特徴とする、デジタルビデオディスクプレイヤーにおける多重字幕表示システムとしている。
請求項６の発明は、請求項１記載のデジタルビデオディスクプレイヤーにおける多重字幕表示システムにおいて、出力プラットフォームは、
デジタルオーディオ信号を出力するオーディオ出力プラットフォームと、
混合デジタルビデオ信号を出力するビデオ出力プラットフォームと、
を具えたことを特徴とする、デジタルビデオディスクプレイヤーにおける多重字幕表示システムとしている。
請求項７の発明は、デジタルビデオディスクプレイヤーにおける多重字幕表示方法において、この方法は、
ロードプラットフォームを利用してＤＶＤ保存媒体のデジタルデータ、データフロー識別コード及び複数の字幕イメージ制御信号を包含する第１字幕セットイメージ制御信号を読み取り、
視聴端インタフェース管理プラットフォームを使用し第１字幕セットイメージデコード情報を対比プラットフォームに送り、対比プラットフォームが第１字幕セットイメージ制御信号を累加レジスタ内の字幕セットイメージ制御信号と対比し、
該データフロー識別コードと第１字幕セットイメージ制御信号により、デジタルデータを解析してビデオデータフロー、オーディオデータフロー、及び第１字幕セットイメージデータフローとなし、
該ビデオデータフロー、オーディオデータフロー、及び第１字幕セットイメージデータフローに対してデコーダプラットフォームにおいてデコードを行ない、デジタルビデオ信号、デジタルオーディオ信号、及び第１字幕イメージ信号を発生し、
該デジタルビデオ信号、デジタルオーディオ信号、及び第１字幕イメージ信号を累加レジスタ内に保存し、
そのうち、視聴端インタフェース管理プラットフォームは少なくとも一つの第２字幕セットイメージデコード情報を受け取り対比プラットフォームに送り、対比プラットフォームを利用して対比動作を行ない、第２字幕セットイメージ制御信号が累加レジスタ内に存在するかを判断し、重複するデコード動作を減らし、そのうち、対比条件は、
第２字幕セットイメージ制御信号が累加レジスタの第１字幕セットイメージ制御信号と同じと判断する時はデコードを行なわず、
第２字幕セットイメージ制御信号の一部が累加レジスタの第１字幕セットイメージ制御信号と同じと判断する時は一部の累加レジスタに未存在の第２字幕セットイメージ制御信号に対してデコードを行ない、
第２字幕セットイメージ制御信号がいずれも累加レジスタに未存在と判断する時、第２字幕セットイメージ制御信号に対してデコードを行ない、
イメージ構築プラットフォームを利用し、デジタルビデオ信号と累加レジスタ内の字幕イメージ信号を混合し、ビデオ信号と字幕イメージ信号の位置を調整し、
混合デジタルビデオ信号及びデジタルオーディオ信号を出力することを特徴とする、デジタルビデオディスクプレイヤーにおける多重字幕表示方法としている。
請求項８の発明は、請求項７記載のデジタルビデオディスクプレイヤーにおける多重字幕表示方法において、対比動作がＸＯＲロジック演算方法とされて、第２字幕セットイメージ制御信号が累加レジスタ内に存在するかを判断することを特徴とする、デジタルビデオディスクプレイヤーにおける多重字幕表示方法としている。
請求項９の発明は、請求項７記載のデジタルビデオディスクプレイヤーにおける多重字幕表示方法において、対比動作が字幕セットイメージ制御信号の重複を判断する関係演算方法とされることを特徴とする、デジタルビデオディスクプレイヤーにおける多重字幕表示方法としている。
請求項１０の発明は、請求項７記載のデジタルビデオディスクプレイヤーにおける多重字幕表示方法において、デコーダプラットフォームが異なるデータフローに対して、それぞれビデオデコードユニット、字幕デコードユニット及びオーディオデコードユニットを使用してデコードを行なうことを特徴とする、デジタルビデオディスクプレイヤーにおける多重字幕表示方法としている。
請求項１１の発明は、請求項７記載のデジタルビデオディスクプレイヤーにおける多重字幕表示方法において、第１字幕イメージ信号及び第２字幕イメージ信号の字幕イメージフレーム上での表示位置を調整し、第２字幕イメージ信号及び第２イメージ信号の表示モードを調整することを特徴とする、デジタルビデオディスクプレイヤーにおける多重字幕表示方法としている。
【発明の効果】
【００１６】
本発明はデジタルビデオディスクプレイヤーにおける多重字幕表示システム及び方法を提供し、ゆえに本発明は新規性、進歩性を有し、及び産業上の利用に供され得る。
【発明を実施するための最良の形態】
【００１７】
図２に示されるのは本発明の好ましい実施例のデジタルビデオディスクプレイヤーにおける多重字幕表示システムの表示図であり、それは、ロードプラットフォーム２を具え、ロードプラットフォーム２は光ディスク１中よりＤＶＤ保存媒体のデジタルデータを読み取り、該デジタルデータはデータフロー識別コード及び複数の字幕制御信号を包含する第２字幕セットイメージ制御信号を包含し、ロードプラットフォーム２は視聴端インタフェース管理プラットフォーム３を利用して第１字幕セットイメージデコード情報を対比プラットフォーム４に送り、対比プラットフォーム４を通して第１字幕セットイメージ制御信号が累加レジスタ５に保存されているかを判断し、第１字幕セットイメージ制御信号が累加レジスタ５に未存在であれば、第１字幕セットイメージ制御信号を累加レジスタ５に保存し、その後、解析プラットフォーム６を通して視聴端インタフェース管理プラットフォーム３が伝送した第１字幕セットイメージ制御信号とデータフロー識別コードを受け取り解析してデジタルデータフローとなしてそれをデコーダプラットフォーム７に送り、デコードした後、デジタルビデオ信号、デジタルオーディオ信号及び第１字幕イメージ信号を発生し、並びにデジタルビデオ信号と第１字幕セットイメージを累加レジスタ５に保存し、続いて、イメージ構築プラットフォーム８を利用し累加レジスタ５のビデオ及び字幕イメージ信号をキャプチャし、ビデオ及び字幕位置を調整し、及び出力プラットフォーム９を利用しデジタルビデオ信号及びデジタルオーディオ信号を出力する。そのうち、視聴端インタフェース管理プラットフォーム３は続けて視聴端が選択した少なくとも一つの第２字幕セットイメージデコード情報を受け取り対比プラットフォーム４に送り、対比プラットフォーム４は視聴端インタフェース管理プラットフォーム３の伝送する少なくとも一つの第２字幕セットイメージデコード情報を受け取った後、ロードプラットフォームの提供する第２字幕セットイメージ制御信号を読み取り累加レジスタ５と対比動作を行なった後、デコーダプラットフォーム７が累加レジスタ５に未存在の字幕セットイメージ制御信号をデコードする。
【００１８】
本構造は視聴端インタフェース管理プラットフォーム３、対比プラットフォーム４、累加レジスタ５、解析プラットフォーム６、デコーダプラットフォーム７、イメージ構築プラットフォーム８及び出力プラットフォーム９を包含する。
【００１９】
該累加レジスタ５は、デコードビデオ及び字幕セットイメージデータを暫時保存し、そのうち、字幕セットイメージデータは字幕セットイメージ制御信号及びデコードした字幕イメージ信号を包含する。
【００２０】
該解析プラットフォーム６は、デジタルデータを解析してビデオデータフロー、オーディオデータフロー、第１字幕セットイメージデータフローとなす。
【００２１】
該デコーダプラットフォーム７は、ビデオデータフロー、オーディオデータフロー、及び第１字幕セットイメージデータフローに対してデコード動作を行ない、デジタルビデオ信号、デジタルオーディオ信号及び第１字幕イメージ信号を発生する。
【００２２】
該イメージ構築プラットフォーム８は、該デジタルビデオ信号と累加レジスタ内の字幕イメージ信号を混合し、混合デジタルビデオを発生する。
【００２３】
該出力プラットフォーム９は、該混合デジタルビデオ信号と該デジタルオーディオ信号を出力する。
【００２４】
図３を参照されたい。それは本発明の好ましい実施例の第１字幕セットイメージデータの累加レジスタにおける内容表示図である。図示されるように、視聴端は視聴端インタフェース管理プラットフォーム３により該対比プラットフォーム４に対比命令を下し、該対比プラットフォーム４は累加レジスタ５中で第１字幕セットイメージ制御信号を対比し、該第１字幕セットイメージ制御信号はＷ１字幕セットイメージ制御信号、Ｗ２字幕セットイメージ制御信号、Ｗ３字幕セットイメージ制御信号を包含し、もし累加レジスタが空集合とされるなら、即ち第１字幕セットイメージ制御信号が該累加レジスタに保存され、並びに解析プラットフォーム６及びデコーダプラットフォーム７を通して該ビデオ制御信号、該Ｗ１字幕セットイメージ制御信号をデコードしたビデオ信号とＷ１字幕イメージ信号が累加レジスタに保存された後、続いて該Ｗ２字幕セットイメージ制御信号及びＷ３字幕セットイメージ制御信号のデコード動作及び累加レジスタへの保存が行なわれる。
【００２５】
そのうち、視聴端が続けて字幕セットイメージデコード情報を下達する時、該視聴端インタフェース管理プラットフォーム３は続けて該対比プラットフォーム４に対して対比情報を下達し、該対比プラットフォーム４が累加レジスタ５と字幕セットイメージデータ対比動作を行ない、図４Ａの本発明の好ましい実施例の字幕セットイメージ対比結果が同じ場合のフローチャートに示されるように、それは以下のステップを包含する。
【００２６】
ステップＳ４１１：  視聴端インタフェース管理プラットフォームが視聴端が下達した第２字幕セットイメージデコード情報を受信する。
ステップＳ４１２：  該デコード情報を対比プラットフォームに伝送する。
ステップＳ４１３：  累加レジスタに進入し字幕セットイメージ制御信号をキャプチャする。
ステップＳ４１４：  第２字幕セットイメージ制御信号を読み取り並びに累加レジスタの字幕セットイメージ制御信号とＸＯＲロジック演算を行なう。
ステップＳ４１５：  字幕セットイメージ制御信号ビット対比結果がいずれも０であると判断する。
ステップＳ４１６：  対比結果を出力し、デコード動作を行なわない。
【００２７】
図４Ｂは本発明の好ましい実施例の字幕セットイメージ対比結果に一部差異のある場合のフローチャートであり、それは以下のステップを包含する。
ステップＳ４２１：  視聴端インタフェース管理プラットフォームが視聴端が下達した第２字幕セットイメージデコード情報を受信する。
ステップＳ４２２：  該デコード情報を対比プラットフォームに伝送する。
ステップＳ４２３：  累加レジスタに進入し字幕セットイメージ制御信号をキャプチャする。
ステップＳ４２４：  第２字幕セットイメージ制御信号を読み取り並びに累加レジスタの字幕セットイメージ制御信号とＸＯＲロジック演算を行なう。
ステップＳ４２５：  字幕セットイメージ制御信号ビット対比結果の一部が０であると判断する。
ステップＳ４２６：  一部の未存在の第２字幕セットイメージ制御信号に対してデコードを行なう。
ステップＳ４２７：  未存在の第２字幕セットイメージ制御信号を累加レジスタに累加する。
【００２８】
図４Ｃは本発明の好ましい実施例の字幕セットイメージ対比結果が完全に異なる場合のフローチャートであり、それは以下のステップを包含する。
ステップＳ４３１：  視聴端インタフェース管理プラットフォームが視聴端が下達した第２字幕セットイメージデコード情報を受信する。
ステップＳ４３２：  該デコード情報を対比プラットフォームに伝送する。
ステップＳ４３３：  累加レジスタに進入し字幕セットイメージ制御信号をキャプチャする。
ステップＳ４３４：  第２字幕セットイメージ制御信号を読み取り並びに累加レジスタの字幕セットイメージ制御信号とＸＯＲロジック演算を行なう。
ステップＳ４３５：  字幕セットイメージ制御信号ビット対比結果がいずれも１であると判断する。
ステップＳ４３６：  累加レジスタ内の字幕セットイメージデータをクリアする。
ステップＳ４３７：  第２字幕セットイメージ制御信号をデコードする。
ステップＳ４３８：  第２字幕セットイメージ制御信号を累加レジスタに累加する。
【００２９】
更に明らかに該対比プラットフォームの運転を表示するため、一部の差異がある対比結果に対して説明を補充する。仮に視聴端が視聴端インタフェース管理プラットフォームに対して第２字幕セットイメージデコード情報を下達する時、該第２字幕セットイメージ制御信号が、Ｗ２字幕セットイメージ制御信号、Ｗ３字幕セットイメージ制御信号、Ｗ６字幕セットイメージ制御信号、Ｗ９字幕セットイメージ制御信号を包含するものとする。該対比プラットフォーム４がこのデコード情報を受け取る時、該累加レジスタ５より既に存在する字幕セットイメージ制御信号をキャプチャし、例えば図３に示されるように、累加レジスタ５中に既に保存されているＷ１字幕セットイメージ制御信号、Ｗ２字幕セットイメージ制御信号、及びＷ３字幕セットイメージ制御信号をキャプチャし、第２字幕セットイメージ制御信号とＸＯＲロジック演算を行ない、累加レジスタ５内の結果が０の字幕例えばＷ２及びＷ３字幕セットイメージ制御信号を保留する動作を行なった後、続いて未存在の第２字幕セットイメージ制御信号のデコード及び保存動作を行ない、例えば該Ｗ６字幕セットイメージ制御信号をデコードし且つ累加レジスタ５に保存した後、更にＷ９字幕セットイメージ制御信号をデコードし並びに累加レジスタ５内に保存し、こうして視聴端が視聴したい字幕セットイメージを達成し、ビデオ及びＷ２及びＷ３字幕の重複デコードのプロセス、及びシステムリソース及び時間の浪費を減らす。
【００３０】
図５は本発明の好ましい実施例のデコーダプラットフォームの細部表示図である。図示されるように、デコーダプラットフォーム７はオーディオデータフローをデコードしてデジタルオーディオ信号となすオーディオデコードユニット７１と、ビデオデータフローをデコードしてデジタルビデオ信号となすビデオデコードユニット７２と、第１字幕セットイメージデータフローをデコードして第１字幕イメージ信号となす字幕デコードユニット７３を具え、デコード完成後に該ビデオ、第１字幕イメージ信号が該累加レジスタ５に送られる。
【００３１】
図６は本発明の好ましい実施例のイメージ構築プラットフォーム及び出力プラットフォーム表示図である。図示されるように、該イメージ構築プラットフォーム８は、累加レジスタ５においてビデオイメージ信号及び多重字幕の字幕イメージ信号をキャプチャし、該多重字幕イメージ信号の字幕セットイメージビデオフレーム上での表示位置を調整する字幕イメージ調整ユニット８１と、字幕イメージ信号の表示モードを調整し、字幕イメージ調整完成後にデコーダプラットフォーム７より送られたオーディオ信号と共に出力プラットフォーム９に伝送し、デジタルビデオ信号とデジタルオーディオ信号を出力させ、そのうち該出力プラットフォーム９は混合デジタルビデオ信号と多重字幕イメージ信号を出力するビデオ出力プラットフォームと該デジタルオーディオ信号を出力するオーディオ出力プラットフォームを具えている字幕イメージ構築ユニット８２と、を具えている。
【００３２】
上述の本発明の構造及び方法は、デジタルビデオディスクプレイヤーにおける多重字幕表示システム及び方法であり、それはＤＶＤ保存媒体のデジタルデータ、データフロー識別コード、及び複数の字幕セットイメージ制御信号を含む第１字幕セットイメージ制御信号を読み取るロードプラットフォームと、第１字幕セットイメージデコード情報を受け取り伝送する視聴端インタフェース管理プラットフォームと、イメージを暫時保存しデコードした字幕セットイメージデータを累加し、この字幕セットイメージデータは字幕セットイメージ制御信号と字幕イメージ信号を包含する累加レジスタと、第１字幕セットイメージ制御信号が累加レジスタに存在するかを判断し、累加レジスタに未存在の字幕セットイメージ制御信号を累加レジスタ内に暫時保存する対比プラットフォームと、データフロー識別コードと第１字幕セットイメージ制御信号によりデジタルデータを解析してビデオデータフロー、オーディオデータフロー、第１字幕セットイメージデータフローとなす解析プラットフォームと、該ビデオデータフロー、オーディオデータフロー、及び第１字幕セットイメージデータフローに対してデコード動作を行ない、デジタルビデオ信号、デジタルオーディオ信号及び第１字幕イメージ信号を発生し、並びにデジタルビデオ信号と第１字幕イメージ信号を該累加レジスタ内に暫時保存するデコーダプラットフォームと、累加レジスタのデジタルビデオ信号と字幕イメージ信号を混合し、このビデオ信号と字幕信号を適当な位置に調整するイメージ構築ユニットと、デジタルビデオ信号とデジタルオーディオ信号を出力する出力ユニットと、を具えている。そのうち、視聴端インタフェース管理プラットフォームは少なくとも一つの第２字幕セットイメージデコード情報を受け取り対比プラットフォームに送り、対比プラットフォームは第２字幕セットイメージ制御信号を読み取った後に、累加レジスタと対比動作を行ない、ビデオ及び字幕の重複デコードのプロセス、システムリソース及び時間の浪費を節約し、視聴端に多重字幕を選択し表示する権利を満足させる。
【図面の簡単な説明】
【００３３】
【図１】ＤＶＤの周知の技術表示図である。
【図２】本発明の好ましい実施例のデジタルビデオディスクプレイヤーにおける多重字幕表示システム及び方法の表示図である。
【図３】本発明の好ましい実施例の第１字幕セットイメージデータの累加レジスタにおける内容表示図である。
【図４Ａ】本発明の好ましい実施例の字幕セットイメージ対比結果が同じ場合のフローチャートである。
【図４Ｂ】本発明の好ましい実施例の字幕セットイメージ対比結果に一部差異のある場合のフローチャートである。
【図４Ｃ】本発明の好ましい実施例の字幕セットイメージ対比結果が完全に異なる場合のフローチャートである。
【図５】本発明の好ましい実施例のデコーダプラットフォームの細部表示図である。
【図６】本発明の好ましい実施例のイメージ構築プラットフォーム及び出力プラットフォーム表示図である。
【符号の説明】
【００３４】
１  光ディスク
２  ロードプラットフォーム
３  視聴端インタフェース管理プラットフォーム
４  対比プラットフォーム
５  累加レジスタ
６  解析プラットフォーム
７  デコーダプラットフォーム
７１  オーディオデコードユニット
７２  ビデオデコードユニット
７３  字幕デコードユニット
８  イメージ構築プラットフォーム
８１  字幕イメージ調整ユニット
８２  字幕イメージ構築ユニット
９  出力プラットフォーム
９１  オーディオ出力プラットフォーム
９２  ビデオ出力プラットフォーム
【図１】
2005236982.tif 000003
【図２】
2005236982.tif 000004
【図３】
2005236982.tif 000005
【図４Ａ】
2005236982.tif 000006
【図４Ｂ】
2005236982.tif 000007
【図４Ｃ】
2005236982.tif 000008
【図５】
2005236982.tif 000009
【図６】
2005236982.tif 000010
【外国語明細書】
2005236982.tif 000011
2005236982.tif 000012
2005236982.tif 000013
2005236982.tif 000014
2005236982.tif 000015
2005236982.tif 000016
2005236982.tif 000017
2005236982.tif 000018
2005236982.tif 000019
2005236982.tif 000020
2005236982.tif 000021
2005236982.tif 000022
2005236982.tif 000023
2005236982.tif 000024
2005236982.tif 000025
2005236982.tif 000026
2005236982.tif 000027
2005236982.tif 000028
2005236982.tif 000029
2005236982.tif 000030
2005236982.tif 000031
2005236982.tif 000032
2005236982.tif 000033
2005236982.tif 000034
2005236982.tif 000035
2005236982.tif 000036
2005236982.tif 000037
2005236982.tif 000038
2005236982.tif 000039
2005236982.tif 000040
2005236982.tif 000041
2005236982.tif 000042
2005236982.tif 000043
2005236982.tif 000044
2005236982.tif 000045
2005236982.tif 000046
2005236982.tif 000047
2005236982.tif 000048
2005236982.tif 000049
2005236982.tif 000050
2005236982.tif 000051
2005236982.tif 000052
2005236982.tif 000053
2005236982.tif 000054
2005236982.tif 000055